(57)【要約】      （修正有）【課題】ラビリンスシール内における流体の漏れ流れを効果的に抑制しつつ、高速、高圧条件下でも安定した運転が可能とする。【解決手段】ケーシング内の静止部とロータとの間を流体が高圧側から低圧側に漏れることを防止する平行環状歯を有する少なくとも１つのラビリンスシールとを備えた遠心圧縮機であって、ラビリンスシールの平行環状歯により形成される溝の間に、流体の円周方向流れを抑制する凸部１７を複数設け、凸部１７は、円周方向流れに対向するロータの回転方向上流側１７ａが、円周方向流れが凸部１７を越え回転方向下流側１７ｂに流れるのを抑制する形状であり、円周方向流れに対向するロータの回転方向下流側１７ｂが、凸部１７を越えた円周方向流れを減衰させる形状である。【選択図】図４
2020133600.tif 000002
【特許請求の範囲】
【請求項１】
ケーシングと、該ケーシングに回転可能に設置されたロータと、前記ケーシング内の静止部と前記ロータとの間を流体が高圧側から低圧側に漏れることを防止する平行環状歯を有する少なくとも１つのラビリンスシールとを備えた遠心圧縮機であって、
前記ラビリンスシールの平行環状歯により形成される溝の間に、前記流体の円周方向流れを抑制する凸部を複数設け、
前記凸部は、前記円周方向流れに対向する前記ロータの回転方向上流側が、前記円周方向流れが前記凸部を越え回転方向下流側に流れるのを抑制する形状であり、前記円周方向流れに対向する前記ロータの回転方向下流側が、前記凸部を越えた前記円周方向流れを減衰させる形状であることを特徴とする遠心圧縮機。
【請求項２】
請求項１に記載の遠心圧縮機であって、
前記円周方向流れが前記凸部を越え回転方向下流側に流れるのを抑制する前記凸部の形状は、前記凸部の前記ロータの回転方向上流側が、前記ラビリンスシールの内径面と成す角が直角を成す形状か、若しくは前記ラビリンスシールの内径面と成す角が鋭角を成し前記ロータの回転方向上流側に傾斜した形状であり、
前記凸部を越えた前記円周方向流れを減衰させる前記凸部の形状は、前記凸部の頂部から前記ロータの回転方向下流側に向うに従い順次細くなる形状であることを特徴とする遠心圧縮機。
【請求項３】
請求項２に記載の遠心圧縮機であって、
前記凸部の頂部から前記ロータの回転方向下流側に向うに従い順次細くなる形状は、その表面が曲面状に形成されていることを特徴とする遠心圧縮機。
【請求項４】
請求項１乃至３のいずれか１項に記載の遠心圧縮機であって、
前記凸部は、前記ラビリンスシールにおける前記流体の漏れ流れ上流側（高圧側）の周方向の配置数が、漏れ流れ下流側（低圧側）の周方向の配置数よりも多いことを特徴とする遠心圧縮機。
【請求項５】
請求項１乃至４のいずれか１項に記載の遠心圧縮機であって、
前記ロータの最終段羽根車の吐出側には、スラスト荷重を相殺するバランスピストンが設けられ、前記ラビリンスシールは、前記バランスピストンと前記ケーシングとの隙間に設けられているバランスピストン部ラビリンスシールであることを特徴とする遠心圧縮機。
【発明の詳細な説明】
【技術分野】
【０００１】
本発明は遠心圧縮機に係り、特に、流体が高圧側から低圧側に漏れることを防止するラビリンスシールを備えているものに好適な遠心圧縮機に関する。
【背景技術】
【０００２】
一般に、遠心圧縮機は、回転する動翼を有するロータと、当該ロータを回転自由に保持すると共に、その内部に流路を形成するケーシングとにより概略構成されている。
【０００３】
ロータとケーシングには隙間が有るため、ロータに沿って作動流体が、高圧側から低圧側に漏れることを防止するために、非接触シールであるラビリンスシールが設けられることが多い。
【０００４】
ラビリンスシールは、通常、ロータとケーシングとの隙間に多数の環状の歯を有して構成されており、多数の環状の歯の先端の隙間を流れる流体の圧力損失により、流体の漏れを減少させている。
【０００５】
上述したラビリンスシールにおいて、ラビリンスシールの漏れ流速が円周方向成分を持った状態でロータがラビリンスシールに対して径方向に変位すると、ラビリンスシール内の円周方向圧力分布に不平衡が生じ、ロータの不安定振動を引き起こす流体力（以降、不安定流体力という）が発生することが知られている。
【０００６】
特に、ロータが高速回転する場合やラビリンスシールの入口と出口との差圧が大きい場合に、前記した不安定流体力は、より大きなものとなる。この不安定流体力は、ラビリンスシールに流入する漏れ流れの円周方向流れによって引き起こされることが知られている。
【０００７】
このような不安定流体力を低減する方法として、特許文献１、２及び３に記載された技術がある。
【０００８】
例えば、特許文献１には、ラビリンスシールの入口に、流体の漏れ流れの円周方向流れを抑制する羽根を設け、流体の流れの円周方向成分を抑制することが記載されている。
【０００９】
また、特許文献２には、ラビリンスシールの途中に高圧の流体を噴きこみ、流体の流れの円周方向成分を相殺することが記載されている。
【００１０】
更には、特許文献３には、ラビリンスシールの各溝に、周方向に複数のポケットを切削で加工し、ラビリンスシール内へ流入した流体の円周方向流れを抑制することが記載されている。
【先行技術文献】
【特許文献】
【００１１】
【特許文献１】特開平３−２８８０６８号公報
【特許文献２】特開２００８−１９０４８７号公報
【特許文献３】特開２０１４−７４３６０号公報
【発明の概要】
【発明が解決しようとする課題】
【００１２】
しかしながら、上述した特許文献１に記載された不安定流体力を低減する方法では、ラビリンスシールの入口における静圧が上昇し、流体の漏れ流量が増加する恐れがある。
【００１３】
また、特許文献２に記載された不安定流体力を低減する方法では、ラビリンスシールの途中で高圧の流体を噴きこむため、特許文献１と同様に流体の漏れ流量が増加し、ターボ機械の効率が低下する恐れがある。
【００１４】
更に、特許文献３に記載された不安定流体力を低減する方法では、ポケットを切削で加工することが前提であり、ラビリンスシールに形成された溝の突起部が回転方向上流と下流で対称な形状となっているため、流体の一部の円周方向流れが前記溝内の突起部に沿って流れ、効率的な流体の円周方向流れ抑制の妨げになる恐れがある。
【００１５】
本発明は、上述の点に鑑みなされたもので、その目的とするところは、ラビリンスシール内における流体の漏れ流れを効果的に抑制しつつ、高速、高圧条件下でも安定した運転が可能な遠心圧縮機を提供することにある。
【課題を解決するための手段】
【００１６】
本発明の遠心圧縮機は、上記目的を達成するために、ケーシングと、該ケーシングに回転可能に設置されたロータと、前記ケーシング内の静止部と前記ロータとの間を流体が高圧側から低圧側に漏れることを防止する平行環状歯を有する少なくとも１つのラビリンスシールとを備えた遠心圧縮機であって、前記ラビリンスシールの平行環状歯により形成される溝の間に、前記流体の円周方向流れを抑制する凸部を複数設け、前記凸部は、前記円周方向流れに対向する前記ロータの回転方向上流側が、前記円周方向流れが前記凸部を越え回転方向下流側に流れるのを抑制する形状であり、前記円周方向流れに対向する前記ロータの回転方向下流側が、前記凸部を越えた前記円周方向流れを減衰させる形状であることを特徴とする。
【発明の効果】
【００１７】
本発明によれば、ラビリンスシール内における流体の漏れ流れを効果的に抑制しつつ、高速、高圧条件下でも安定した運転が可能となる。
【図面の簡単な説明】
【００１８】
【図１】本発明の遠心圧縮機の実施例１を示す全体構造図である。
【図２】本発明の遠心圧縮機の実施例１におけるバランスピストン部ラビリンスシールを示す斜視図である。
【図３】本発明の遠心圧縮機の実施例１におけるバランスピストン部ラビリンスシールの平行環状歯の歯高さとロータ径の配置関係を示す概略図である。
【図４】本発明の遠心圧縮機の実施例１におけるバランスピストン部ラビリンスシールを軸方向から見た場合の凸部の断面図である。
【発明を実施するための形態】
【００１９】
以下、図示した実施例に基づき本発明の遠心圧縮機を説明する。なお、各図において、同一構成部品には同符号を使用する。
【実施例１】
【００２０】
本発明の遠心圧縮機の実施例１を図１、図２及び図３を用いて説明する。
【００２１】
図１に示すように、本実施例の遠心圧縮機１は、円筒状などに形成され静止部となるケーシング２と、このケーシング２内に反駆動機側ラジアル軸受３、駆動機側ラジアル軸受４及びスラスト軸受５により回転可能に設けられた回転軸６と、この回転軸６に装着された複数段（図１では５段）の羽根車７とを備えて概略構成され、回転軸６と羽根車７により、ロータ（回転体）８を構成している。
【００２２】
なお、本実施例では、１本の回転軸６に羽根車７を多段に設けた一軸多段遠心圧縮機を例に説明するが、羽根車７が１段のみの単段遠心圧縮機にも同様に適用できる。
【００２３】
前記ケーシング２には、１段目の羽根車７に作動流体である気体を導入する吸込流路９と、各段の羽根車７から出た気体の運動エネルギーを圧力エネルギーに変換するディフューザ１０と、このディフューザ１０からの圧縮された気体を次段の羽根車７に導入する戻り流路１１と、最終段の羽根車７から出た気体をケーシング２の外に吐出するための吐出流路１２などが設けられている。
【００２４】
また、ロータ８の回転軸６は、ケーシング２の吸込側（図１の左側）端部及び吐出側（図１の右側）端部に設けられた反駆動機側ラジアル軸受３、駆動機側ラジアル軸受４を介し回転可能に支持されている。また、回転軸６の吸込側端部には、スラスト荷重を受けるスラスト軸受５が設けられ、回転軸６における最終段の羽根車７の吐出側には、スラスト荷重を相殺するバランスピストン１３が設けられている。
【００２５】
更に、回転軸６の吐出側端部には、モータ等の駆動機（図示せず）が連結されており、この駆動機によってロータ８が回転するように構成されている。また、ロータ８が回転することにより、気体が吸込流路９から吸い込まれて、複数段の羽根車７で順次圧縮され、最終的に吐出流路１２から吐出されるようになっている。
【００２６】
また、各段の羽根車７の口金とケーシング２との隙間には、羽根車口金ラビリンスシールが設けられており、この羽根車口金ラビリンスシールにより、羽根車７から出た気体がその隙間を通って羽根車７の入口側に戻ることを抑制するようになっている。また、前段の羽根車７と後段の羽根車７との間におけるロータ８とケーシング２との隙間には、中間段シールが設けられており、この中間段シールにより、戻り流路１１の気体がその隙間を通って前段の羽根車７の出口側に戻ることを抑制するようになっている。
【００２７】
また、ロータ８のバランスピストン１３とケーシング２との隙間には、バランスピストン部ラビリンスシール１４が設けられており、このバランスピストン部ラビリンスシール１４により、最終段の羽根車７から出た高圧の気体（流体）が低圧部に漏れることを抑制するようになっている。
【００２８】
図２に、本実施例の遠心圧縮機１に採用されるバランスピストン部ラビリンスシール１４を示す。
【００２９】
該図に示すように、本実施例の遠心圧縮機１に採用されるバランスピストン部ラビリンスシール１４は、円筒形状を半分に分割した半割れ構造となっており、２つの部品により構成されている。なお、図２は、バランスピストン部ラビリンスシール１４の円筒形状を半分に分割した半割れ構造の一方を示しており、このバランスピストン部ラビリンスシール１４は、３Ｄプリンタで製作可能である。
【００３０】
図２において、本実施例の遠心圧縮機１に採用されるバランスピストン部ラビリンスシール１４は、ロータ８に対向する内径側表面に設けられた複数の平行環状歯１５と、この平行環状歯１５間に形成された平行環状溝１６とを有し、更に、平行環状溝１６内に気体（流体）の円周方向流れを抑制する凸部１７を複数設けている。ロータ８に対向しない外径側には、バランスピストン部ラビリンスシール１４をケーシング２に固定するための支持構造１８がある。
【００３１】
また、図２において、漏れ流れ上流側（高圧側）では、凸部１７の周方向の配置数を漏れ流れ下流側（低圧側）よりも多く設けている。これにより、より大きな不安定流体力が発生しやすい漏れ流れ上流においては、より効果的に周方向流れを抑制することができる。
【００３２】
なお、本実施例の遠心圧縮機１に採用されるバランスピストン部ラビリンスシール１４は、万が一、平行環状歯１５がロータ８と接触した場合に、ロータ８を傷つけないようにロータ８よりも柔らかい材質（例えば、アルミニウム合金）で形成されている。
【００３３】
バランスピストン部ラビリンスシール１４における気体（流体）の漏れ流れ上流側（高圧側）には、バランスピストン部ラビリンスシール１４に流入する円周方向流れを防止するための突起１９を円周方向に複数設けている。この突起１９は、漏れ流れ上流側（高圧側）の高さを高くし、下流側（低圧側）を低くしている。
【００３４】
これにより、より効果的にバランスピストン部ラビリンスシール１４に流入する気体（流体）の円周方向流れを防止することができる。
【００３５】
また、バランスピストン部ラビリンスシール１４の平行環状歯１５の高さを軸方向に交互に変えている。ロータ８に段差を設けて、平行環状歯１５の歯高さが高い歯に対向するロータ径は細く、歯高さが低い歯に対向するロータ径は太くし、これを軸方向に繰り返すことにより、気体（流体）の漏れ流れを効果的に抑制することができる。
【００３６】
即ち、図３に示すように、バランスピストン部ラビリンスシール１４の平行環状歯１５の歯高さを、高い歯１５ａと低い歯１５ｂとなるように軸方向に交互に変え、平行環状歯１５の歯高さが高い歯１５ａに対向するロータ８の径８ａは細く、歯高さが低い歯１５ｂに対向するロータ８の径８ｂは太くし、これを軸方向に繰り返すことで、気体（流体）の漏れ流れを効果的に抑制している。
【００３７】
図４は、本実施例の遠心圧縮機１におけるバランスピストン部ラビリンスシール１４を軸方向から見た場合の凸部１７の断面図である。
【００３８】
図４に示すように、本実施例では、凸部１７の形状を、気体（流体）の円周方向流れに対向するロータ回転方向の上流側１７ａと下流側１７ｂで変えている。
【００３９】
即ち、本実施例での凸部１７は、気体（流体）の円周方向流れに対向するロータ回転方向の上流側１７ａが、気体（流体）の円周方向流れが凸部１７を越えロータ回転方向の下流側１７ｂに流れるのを抑制する形状であり、気体（流体）の円周方向流れに対向するロータ回転方向の下流側１７ｂが、凸部１７の頂部を越えた気体（流体）の円周方向流れを減衰させる形状である。
【００４０】
具体的には、気体（流体）の円周方向流れが凸部１７の頂部を越えロータ回転方向の下流側１７ｂに流れるのを抑制する凸部１７の形状は、凸部１７のロータ回転方向の上流側１７ａが、バランスピストン部ラビリンスシール１４の内径面２０と成す角θ１が直角を成す形状か、若しくは図４に点線で示すように、バランスピストン部ラビリンスシール１４の内径面２０と成す角θ１が鋭角（６０−９０度の範囲）を成し、ロータ回転方向の上流側１７ａに傾斜した形状である（この場合、ロータ回転方向の下流側１７ｂのバランスピストン部ラビリンスシール１４の内径面２０と成す角θ２は、鈍角となっている）。
【００４１】
一方、凸部１７の頂部を越えた気体（流体）の円周方向流れを減衰させる凸部１７の形状は、凸部１７の頂部からロータ回転方向の下流側１７ｂに向うに従い順次細くなる形状であり、しかも、凸部１７の頂部からロータ回転方向の下流側１７ｂに向うに従い順次細くなる形状は、その表面がなだらかな曲面状に形成されている。
【００４２】
なお、本実施例での角度θ１及びθ２は、凸部１７とバランスピストン部ラビリンスシール１４の内径面２０との接続部近傍を指すのではなく、ロータ回転方向の上流側１７ａ若しくは下流側１７ｂの平均的な角度を意味する。
【００４３】
このように、ロータ回転方向の上流側１７ａとバランスピストン部ラビリンスシール１４の内径面２０と成す角θ１を直角、若しくはバランスピストン部ラビリンスシール１４の内径面２０と成す角θ１が鋭角を成し、ロータ回転方向の上流側１７ａに傾斜した形状とすることにより、気体（流体）の円周方向流れが、ロータ回転方向の上流側１７ａに沿って凸部１７の頂部越えてロータ回転方向の下流側１７ｂに流れることを効果的に抑制することができる。
【００４４】
また、ロータ回転方向の下流側１７ｂのように、流路面積の拡大をなだらか（曲面状）にすることにより、凸部１７を越えた気体（流体）の円周方向流れをより効率的に減衰させることができる。
【００４５】
これらにより、バランスピストン部ラビリンスシール１４における気体（流体）の漏れを抑制しつつ、高速、高圧条件下においても安定した運転が可能な遠心圧縮機を実現できる。
【００４６】
また、凸部１７のロータ回転方向の下流側１７ｂのバランスピストン部ラビリンスシール１４の内径面２０と成す角θ２を鈍角とすることにより、凸部１７と凸部１７に挟まれた溝内に渦流れが生じ、これにより、効果的に気体（流体）の円周方向流れを抑制することができる。
【００４７】
なお、本発明は上述した実施例に限定されるものではなく、様々な変形例が含まれる。例えば、上述した実施例は本発明を分かりやすく説明するために詳細に説明したものであり、必ずしも説明したすべての構成を備えるものに限定されるものではない。また、ある実施例の構成の一部を他の実施例の構成に置き換える事が可能であり、また、ある実施例の構成に他の実施例の構成を加える事も可能である。また、各実施例の構成の一部について、他の構成の追加・削除・置換をする事が可能である。
【符号の説明】
【００４８】
１…遠心圧縮機、２…ケーシング、３…反駆動機側ラジアル軸受、４…駆動機側ラジアル軸受、５…スラスト軸受、６…回転軸、７…羽根車、８…ロータ、８ａ…ロータの細い径、８ｂ…ロータの太い径、９…吸込流路、１０…ディフューザ、１１…戻り流路、１２…吐出流路、１３…バランスピストン、１４…バランスピストン部ラビリンスシール、１５…平行環状歯、１５ａ…平行環状歯の高い歯、１５ｂ…平行環状歯の低い歯、１６…平行環状溝、１７…凸部、１７ａ…凸部のロータ回転方向の上流側、１７ｂ…凸部のロータ回転方向の下流側、１８…支持構造、１９…バランスピストン部ラビリンスシール上流の突起、２０…バランスピストン部ラビリンスシールの内径面。
【図１】
2020133600.tif 000003
【図２】
2020133600.tif 000004
【図３】
2020133600.tif 000005
【図４】
2020133600.tif 000006